(57)【要約】【課題】本発明は、レーザー光線によって誘導される蛍光を用いて流体温度を非侵入で測定するための光学的方法と装置を提供することを目的とする。【解決手段】本発明は、レーザー放射によって流体の測定容積部位（３）に誘導される蛍光を用いる。単一の温度感受性蛍光性トレーサを用い液状媒体中でトレーサの分子を希薄化した後に、同じトレーサの少なくとも２つの別々のスペクトルの検知ウインドウを使用する。これにより、レーザー光線によって誘導される蛍光を用いて流体温度を非侵入で測定できるようになる。【選択図】図１
2004517468.tif 000002
【特許請求の範囲】
【請求項１】
プリント基板の処理装置であって、少なくともほぼ円筒形状のブラシ１６を複数支持する支持構造体１５を含み、ブラシ１６の軸１７が互いに平行し、該軸を支持テーブル５に平行な面内に配置し、上記支持テーブル５上に少なくとも１枚のプリント基板７を固定し、上記ブラシ１６を回転駆動する第１のモータ１８他少なくとも一つのモータを備え、上記プリント基板７の表面にブラシをかける装置において、上記支持構造体１５を支持フレーム２０に偏心回転可能に取り付け、第２のモータ２２によって上記支持テーブル５に平行する面に沿って円形軌道をなすように駆動することを特徴とする装置。
【請求項２】
上記請求項に係る装置において、上記サポート構造体１５の回転中に上記支持テーブル５が線形振動で縦に動くことを特徴とする装置。
【請求項３】
上記請求項のいずれかに係る装置において、上記支持テーブル５の振動が上記支持構造体１５の動きに同期し、上記ブラシ１６が縦方角に動き、上記支持テーブル５が反対方向へ動くことを特徴とする装置。
【請求項４】
上記請求項のいずれかに係る装置において、上記支持テーブル５の振動速度が変化し、上記支持テーブル５と上記支持構造体１５との間の相対的な縦方向の速度がほぼ不変であることを特徴とする装置。
【請求項５】
上記請求項のいずれかに係る装置において、上記支持テーブル５が、その振動動作の終わりに達するとき、リニアに加速されることを特徴とする装置。
【請求項６】
上記請求項のいずれかに係る装置において、上記ブラシ１６を支持する上記支持構造体１５が、１以上のクランク２１を介して上記支持フレーム２０上で偏心回転するとともに、クランク伝動装置２３を介して上記第２のモータ２２に接続することを特徴とする装置。
【請求項７】
上記請求項のいずれかに係る装置において、上記ブラシ１６の軸と上記支持テーブル５の振動行程の間の距離が、上記回転運動の回転半径Ｒのほぼ２倍であることを特徴とする装置。
【請求項８】
上記請求項のいずれかに係る装置において、上記支持テーブル５を搬送プレート１１に回転可能に取り付け、該搬送プレート１１に取り付けた１対のチェーン１４を含む伝動装置を介して、第３のモータ１３によって駆動可能としたことを特徴とする装置。
【請求項９】
上記請求項のいずれかに係る装置において、上記第２、第３のモータ１３、２２の軸の回転を、電気または電子システム、特にインバータをエンコーダとともに含むシステムによって制御することを特徴とする装置。
【請求項１０】
上記請求項のいずれかに係る装置において、上記支持テーブル５を、傾斜角度αが約２０度である斜面１０上に摺動可能に配し、上記ブラシ１６を支持する上記支持構造体１５と平行にしたことを特徴とする装置。
【請求項１１】
上記請求項のいずれかに係る装置において、上記斜面１０の高さを調節可能としたことを特徴とする装置。
【請求項１２】
上記請求項のいずれかに係る装置において、上記第１のモータ１８の軸の動作を、上記ブラシ１６の軸１７にキー填めした歯車の周りにジグザグに掛け回した上記１対のチェーン１９を含む上記伝動装置を介して上記ブラシ１６に伝達することを特徴とする装置。
【請求項１３】
上記請求項のいずれかに係る装置において、上記第１のモータ１８が周期的に逆転することを特徴とする装置。
【請求項１４】
上記請求項のいずれかに係る装置において、上記ブラシ１６の動作の間に複数の管２６を介して一のブラシ１６と隣り合う他のブラシの間で上側に上記軸１７と平行に配した一連のスプリンクラー２７に対してプリント基板７の処理液を送り出す液体ポンプ２５を含むことを特徴とする装置。
【請求項１５】
上記請求項のいずれかに係る装置において、ブラシ１６’が、それ自身のカバー３０を備え、該カバーの内側に線状のスプリンクラー３１を配してなることを特徴とする装置。
【請求項１６】
上記請求項のいずれかに係る装置において、少なくとも上記カバー３０の下縁に、上記ブラシ１６’の毛をきれいにするための径方向に伸びるブレード３２を備えることを特徴とする装置。
【請求項１７】
上記請求項のいずれかに係る装置において、上記支持フレーム２０をヒンジ３３を中心に回転させ、上記支持構造体１５を引き上げ可能としたことを特徴とする装置。
【発明の詳細な説明】
【技術分野】
【０００１】
本発明は、プリント基板の処理装置に関し、特に紫外光への暴露処理がなされておらず、したがって非重合の部分を光重合性プリント基板から削除するために使用できる装置に関する。
【背景技術】
【０００２】
米国特許第４９５２９６１号はプリント基板の処理装置を開示している。この装置は、複数のほぼ円筒形状の回転ブラシを含み、その上には、軸線方向及び横断方向でほぼランダムに摺動可能な支持テーブルが設けてある。
処理対象となる基板をこの支持テーブル上にしっかりと保持し、上記円筒状のブラシでこするようになっている。またブラシは、処理に必要な溶液に部分的に浸漬させる。処理溶液は適当な容器に入れてブラシの下に配置する。
しかしながら、支持テーブルが制御されていないために、この装置では非重合部分を完全には取り除くことができないことも知られている。特にプリント基板の表面のすべての部位にはブラシをかけることができない。さらに、この周知の機械は複雑かつ大きく、製造、メンテナンス、保管に高いコストが掛かる。
本発明は上記従来の欠点を克服した装置を供給することを目的としている。
【発明の開示】
【０００３】
この目的は請求項１で明らかにした主な特徴とその他の請求項の特徴で明らかにされるプリント基板の処理装置によって達成できる。
本発明の装置によれば、回転ブラシの軌道運動により、完全にすべての非重合部分をプリント基板から取り除くことができる。さらに、プリント基板を保持するテーブルが、ブラシの動作と同期して変動する線形振動動作を行うように駆動するので、処理対象のプリント基板を均等かつ表面全体にブラシを掛けることが可能であり、基板の他の部位に間違ってブラシをかけることがない。
【０００４】
本発明によれば、支持テーブルとブラシの軸を互いに平行な斜面の上に配置する。それにより、適当なスプリンクラーによってスプレーする処理液を容易に集め得るようになり、かつプリント基板上に液が滞留しないようにすることができる。この構成により、処理に必要な液体の量が減り、経済的にもエコロジーに関しても利点となる。
【０００５】
さらに本発明の装置は、上述のようなブラシの配置と支持テーブル及びその機構により、あまり複雑な構造にならない。
【０００６】
さらに本発明の装置の利点と特徴を、以下に図画を参照して当業者に明確となるように説明する。
【図面の簡単な説明】
【０００７】
図１は本発明の実施形態装置における使用前の部分的な側面図である。
図２は図１の装置を少し傾けて示す部分的な平面図である。
図３は図１の装置を少し傾けて示す部分的な正面図である。
図４は使用中の図１の装置の部分的な側面図である。
【発明を実施するための最良の形態】
【０００８】
これらの図を参照すると、本発明の装置は、周知の形態でケース１を備え、ケース１はトップカバー２によって閉じることができ、例えば装置内部のためのメンテナンス時に、トップカバー２はヒンジ３の周りで上方に回転させ得るように取り付けてある。ケース１はスロット４を備え、支持テーブル５を図中の矢印６で示すように導入できる。支持テーブル５上には、少なくとも１枚の処理対象プリント基板７を、例えば両面テープ等を使用して保持できる。ケース１中へ支持テーブル５をより容易に導入可能とするために、１対のアイドルローラ９を備えた外部のフレーム８がスロット４に隣接させて設けてある。
【０００９】
ケース１の内側には、高さと傾斜を調節可能な平板１０が取り付けてある。図では平板１０の角度αが約２０度となっており、スロット４から支持テーブル５を滑らせて入れることができる。支持テーブル５は、ピン１２を複数備えた搬送プレート１１によって制御される。支持テーブル５は、ピン１２を入れるのに適当な対応する穴が設けてあり、平板１０に沿って着脱可能となっている。搬送プレート１１の縦方向の動作は、搬送プレート１１に取り付けた一対のチェーン１４を含む伝動装置を介してモータ１３によって提供される。
【００１０】
同様に約２０度傾けた長方形の構造体１５が、同じく傾けてある平板１０上に適切に取り付けてある。この構造体１５は、ほぼ円筒状のブラシ１６を回転可能に複数取り付けた一対の回転可能なサイドプレートを含む。ブラシ１６の軸１７は、互いに平行で平板１０と平行な同一面内に位置するように取り付けてある。ブラシ１６は支持構造体１５の下方に向いて突き出ており、その軸の周りでモータ１８によって回転できる。モータ１８からの駆動は、ブラシ１６に対して伝動装置によって伝えられる。伝動装置は、ブラシ１６のシャフト１７にキー填めした歯車の周りにチェーン１９をジグザグに掛け回してある。この構成により、ブラシは隣接するブラシと反対方向に回転する。さらに、モータ１８が周期的に回転を反転させる。そのため各ブラシが、図中矢印で示すように双方向に回転する。
【００１１】
図４は、本発明の装置を示す。チェーン１９は破線で描いてあり、支持テーブル５はブラシ１６の下に、搬送プレート１１とともに描いてある。
ブラシ１６を支持する構造体１５は、一または複数のクランク２１を介して支持フレーム２０上に偏心させて取り付けてある。支持フレーム２０に取り付けたモータ２２とクランク伝動装置２３により、ブラシ１６を支持する構造体１５の全体が、プリント基板７を支持している支持テーブル５と平行な面に沿って円軌道を描いて動く。
【００１２】
支持構造体１５の動作の間に、プリント基板７を支持する支持テーブル５は、モータ１３によって与えるリニアな振動を伴って、傾斜させた平板１０に沿って好ましくは縦方向（図４に示す矢印２４の方向）に動き、プリント基板７を一様にブラッシングする。このために、支持テーブル５の振動性の動作を支持構造体１５の動きに同期させることができ、ブラシ１６がスロット４に近付き、支持テーブル５は反対方向に動く。逆も同様である。さらに、ブラシ１６の軸間距離と支持テーブル５の振動は、クランク２１の長さ、すなわち回転半径Ｒのほぼ２倍に等しい。
【００１３】
支持構造体１５の回転中に、ｘ（ｔ）＝Ｒｃｏｓ（ωｔ）で現される縦方向１６の動きによりブラシをかける。なおωはクランク２１の角速度であり、ブラシ１６の回転速度に対応する。したがって、ブラシ１６の縦方向速度が、ｖ（ｔ）＝−Ｒωｓｉｎ（ωｔ）であるため、本発明の装置は、支持テーブル５の振動動作速度が一定にはならず、変化し、支持構造体１５と支持テーブル５の間の相対的な縦方向速度がほぼ一定となる。そしてプリント基板７の各部位が同時にブラシ１６によりブラッシングされる。例えば、振動動作が終わろうとするときに支持テーブル５がリニアに加速され、同時にブラシ１６が減速することを補う。支持構造体１５と支持テーブル５の相互の同期化を達成するために、モータ１３と２２のシャフトの回転を制御する。制御には電気または電子システムを用いるが、図示を省略する。特にエンコーダを備えるインバータと組み合わせた周知のシステムを用い得る。
【００１４】
液体、例えば処理対象のプリント基板７用の溶剤は、ポンプ２５によって複数の管２６を通してブラシ１６の動作の間に送り出す。管２６は図２でだけ部分的に示す。溶剤を吐出するのは、ブラシ１６の上側にブラシ１６、１６の間に位置させかつ一連に配設したスプリンクラー２７である。スプリンクラー２７は軸１７と平行に設けてある。液体の飛散を防止するために、支持構造体１５は傾斜した面１０の下に好ましくはカバー２８を備え、そこにタンク２９を同様に傾斜させて備え、使用後の液体をそこに集め、再使用するためにポンプ２５で他所へ搬出する。
【００１５】
スロット４に最も近いブラシ１６’は、好ましくはそれ自体のカバー３０を備える。その内側にはさらにスプリンクラー３１を配置する。したがってスプリンクラー３１は、スプリンクラー２７からスプレーする液体とは異なる液体、例えば純粋な溶剤をスプレーすることができる。少なくともカバー３０の下縁に、ブラシ１６’の毛をきれいにするための径方向に伸びるブレード３２を備える。ブラシ１６’は、スロット４を通してケース１の支持テーブル５が押し出されるときに、プリント基板７をきれいにするための最終段を構成する。テーブル５がスロット４を通して押し出され、搬送プレート１１から取り去る前に、オペレーターが、プリント基板７を見て所望のように処理したかどうかをチェックできる。チェック結果が否定的なものであれば、すぐに再びケース１に入れて再度処理することも可能である。なお、ヒンジ３３を中心に支持フレーム２０を回転させ、支持構造体１５を引き上げることが可能である。カバー２が開いているときは、本発明により装置のメンテナンスが容易である。
【国際公開パンフレット】
2004517468.tif 000003
2004517468.tif 000004
2004517468.tif 000005
2004517468.tif 000006
2004517468.tif 000007
2004517468.tif 000008
2004517468.tif 000009
2004517468.tif 000010
2004517468.tif 000011
2004517468.tif 000012
2004517468.tif 000013
2004517468.tif 000014
2004517468.tif 000015
【国際調査報告】
2004517468.tif 000016
2004517468.tif 000017